(57)【特許請求の範囲】
【請求項１】
表面側に出射する光を制御することで表示画像を形成する画像形成パネル、および、該画像形成パネルの前記表面側に配置された表面偏光板を備える表示パネルと、
キラル高分子によって形成された圧電フィルムを有する押圧センサと、を備え、
前記押圧センサは、前記表面偏光板を挟んで、前記画像形成パネルと反対側に配置され、前記押圧センサの押し込みが制限されないように前記表面偏光板に対して距離を開けて、空隙が設けられるように配置され、
前記押圧センサの前記表面偏光板側の面が前記空隙に面している、
押圧センサ付き表示パネル。
【請求項２】
前記押圧センサは、前記押圧センサが湾曲した場合に前記押圧センサが前記表面偏光板に接触しないように、前記表面偏光板に対して前記距離を開けて配置されている、
請求項１に記載の押圧センサ付き表示パネル。
【請求項３】
前記圧電フィルムを形成するキラル高分子はポリ乳酸であり、
該ポリ乳酸は少なくとも一軸方向に延伸されている、請求項１または請求項２に記載の押圧センサ付き表示パネル。
【請求項４】
前記押圧センサは、タッチ位置を検出する位置検出センサ機能を備える、請求項１乃至請求項３のいずれかに記載のタッチセンサ付き表示パネル。
【請求項５】
請求項１乃至請求項４のいずれかに記載の押圧センサ付き表示パネルと、
前記押圧センサの検出信号から押し込み量を検出する演算部と、
前記表面側が開口し、前記押圧センサ付き表示パネルと前記演算部とが収納された筐体と、
を備えた押圧入力機能付き電子機器。
【発明の詳細な説明】
【技術分野】
【０００１】
本発明は、表示画面上を指等で操作することで押圧操作入力が可能な押圧センサ付き表示パネル、および当該押圧センサ付き表示パネルを備える押圧入力機能付き電子機器に関する。
【背景技術】
【０００２】
従来、液晶ディスプレイ等の薄型表示パネルを備える電子機器において、表示面で操作入力を行うことができる電子機器が各種考案されている。例えば、特許文献１では、操作位置を検出するタッチセンサは、表示パネルの表面側に配置している。操作者が操作面に触れると、タッチセンサがタッチ位置を検出する。電子機器は、操作位置に応じた処理を実行する。【０００３】
そして、従来のタッチセンサ付き電子機器において、液晶パネル等の偏光板を必要とする表示パネルを用いる場合には、電子機器を構成する各構成要素を、次のような位置関係で配置する。【０００４】
操作面（最外面）には表面偏光板が配置される。表面偏光板の操作面と反対側の面には、タッチパネルが配置される。タッチパネルの表面偏光板と反対側には、液晶をはさみ込んだ一対のガラスからなる液晶パネルが配置される。液晶パネルのタッチパネルと反対側の面には、裏面側偏光板が配置される。すなわち、タッチパネルは、表面偏光板と裏面側偏光板との間に配置される。【０００５】
上述の構成では、液晶ディスプレイが透過型の場合、裏面側偏光板の更に裏面側に配置されたバックライトからの光が、裏面側偏光板、液晶パネル、タッチパネル、表面偏光板の順に透過して、操作面に出射する。液晶ディスプレイが反射型の場合、裏面側偏光板は必要ではなく代わりに例えば反射板が設置されるが、操作面から入射した光は、表面偏光板、タッチパネル、液晶パネル、反射板、液晶パネル、タッチパネル、表面偏光板の順に透過して、操作面に戻る。【０００６】
ここで、表面偏光板および裏面偏光板は、特定方向に振動する波（光波）のみを透過する性質を利用し、液晶パネルとの組合せでコントラストや透光率を所定値としたり、見栄えを向上させている。
【先行技術文献】
【特許文献】
【０００７】
【特許文献１】特開２０１２−２３０６５７号公報
【発明の概要】
【発明が解決しようとする課題】
【０００８】
しかしながら、上述の従来の薄型表示パネルを備える電子機器では、次の問題が生じる。【０００９】
現在では、キラル高分子等の圧電素子から押圧センサを構成することで、押し込み量を検出可能にしたものが考えられる。ところが、キラル高分子等の圧電素子は、複屈折性を有する。例えば、一軸延伸されたＬ型ポリ乳酸（ＰＬＬＡ）の延伸方向に平行な方向に振動する波の屈折率は１．４７である。一方、一軸延伸されたＬ型ポリ乳酸（ＰＬＬＡ）の延伸方向に垂直な方向に振動する波の屈折率は１．４５である。すなわち、リタデーションの特性を有する。【００１０】
このような複屈折性を有する押圧センサを上述の薄型表示パネルに組み込む場合、透過型ならば表面偏光板と裏面偏光板との間に配置した場合や、反射型の場合ならば導光方向に沿って二回の表面偏光板の間に配置された場合には、目標とする色が変化してしまい、所望とする画像色を得られなくなってしまうという問題が生じることがわかった。【００１１】
したがって、本発明の目的は、キラル高分子の圧電素子により押し込み量を検出可能にした表示パネルにおいて、所望の色を再現可能な押圧センサ付き表示パネルを提供することにある。
【課題を解決するための手段】
【００１２】
この発明の押圧センサ付き表示パネルは、表示パネルと押圧センサを備える。表示パネルは、表面側に出射する光を制御することで表示画像を形成する画像形成パネル、および、該画像形成パネルの表面側に配置された表面偏光板を備える。押圧センサは、キラル高分子によって形成された圧電フィルムを有する。圧電フィルムは、表面偏光板を挟んで、画像形成パネルと反対側に配置されている。【００１３】
この構成では、表面偏光板から操作者側に出射された光が圧電フィルムを透過する。したがって、複屈折性を有する圧電フィルムであっても、出射光による画像の色が変わらない。【００１４】
また、この発明の押圧センサ付き表示パネルは、表面偏光板よりも表面側に配置されていることが好ましい。【００１５】
この構成では、表示パネルよりも押圧センサが操作面側に配置されることになるため、押し込み量の検出感度が良くなる。【００１６】
また、この発明の押圧センサ付き表示パネルでは、圧電フィルムを形成するキラル高分子はポリ乳酸であり、ポリ乳酸は少なくとも一軸方向に延伸されていることが好ましい。【００１７】
この構成では、圧電フィルムの具体的な材料例を示している。少なくとも一軸方向に延伸されたポリ乳酸を用いることで、押し込み量の検出感度が良く、温度特性に優れる押圧センサが得られる。【００１８】
また、この発明の押圧センサ付き表示パネルでは、押圧センサと表示パネルは、距離を開けて配置されていることが好ましい。【００１９】
この構成では、押圧センサと表示パネルとの距離が開いていることで、押圧センサが押し込みにより湾曲しても、表示パネルの表面偏光板に接触しない。これにより、表面偏光板の損傷や、表面偏光板が押し込みにより変形して出射光の色が変化することを防止できる。また、表示パネルと接していないので、表示パネルの剛性に関係なく、押圧センサを変形させることが可能である。なお、押圧センサと表示パネルとの間は、空隙であってもよいし、弾性体など押圧センサの湾曲を阻害しない緩衝部材が配置されていてもよい。【００２０】
また、この発明の押圧センサ付き表示パネルでは、次に構成であってもよい。押圧センサは、タッチ位置を検出する平板状の位置検出センサ機能を備える。【００２１】
また、この発明は、押圧入力機能付き電子機器に関し、次の特徴を有する。押圧入力機能付き電子機器は、上述の押圧センサ付き表示パネルと、押圧センサの検出信号から押し込み量を検出する演算部と、表示面側が開口し押圧センサ付き表示パネルと演算部とが収納された筐体と、を備える。【００２２】
この構成では、複屈折性を有する圧電フィルムを用いた押圧センサを備えていても、表示パネルと表面偏光板による出射光の色を変えることなく、操作者に視覚させることができる。
【発明の効果】
【００２３】
この発明によれば、複屈折性を有する押圧センサを備える表示パネルであっても、所望の色を再現することができる。
【図面の簡単な説明】
【００２４】
【図１】本発明の第１の実施形態に係る押圧入力機能付き電子機器の外観斜視図である。
【図２】本発明の第１の実施形態に係る押圧入力機能付き電子機器の断面図である。
【図３】本発明の第１の実施形態に係る押圧センサの平面図である。
【図４】本発明の第２の実施形態に係る押圧センサ付き表示パネルの断面図である。
【図５】本発明の第２の実施形態に係るタッチセンサおよび位置検出センサの平面図である。
【図６】本発明の第３の実施形態に係る押圧センサ付き表示パネルの断面図である。
【図７】本発明の第４の実施形態に係る押圧センサ付き表示パネルの断面図である。
【図８】本発明の第５の実施形態に係る押圧センサ付き表示パネルの断面図である。
【発明を実施するための形態】
【００２５】
本発明の第１の実施形態に係る押圧入力機能付き電子機器およびこれに備えられた押圧センサ付き表示パネルについて、図を参照して説明する。図１は本発明の第１の実施形態に係る押圧入力機能付き電子機器の外観斜視図である。図２は本発明の第１の実施形態に係る押圧入力機能付き電子機器の断面図である。図３は本発明の第１の実施形態に係る押圧センサの平面図である。
【００２６】
図１に示すように、押圧入力機能付き電子機器１は、略直方体形状の筐体５０を備える。筐体５０の表面側は開口している。なお、以下では、筐体５０の幅方向（横方向）をＸ方向とし、長さ方向（縦方向）をＹ方向とし、厚み方向をＺ方向として説明する。また、本実施形態に説明では、筐体５０のＸ方向の長さが、筐体５０のＹ方向の長さよりも短い場合を示している。しかしながら、Ｘ方向とＹ方向の長さが同じであっても、Ｘ方向の長さがＹ方向の長さより長くてもよい。
【００２７】
図２に示すように、筐体５０内には、押圧センサ２０、表示パネル３０、保護部材４０、および演算回路モジュール６０が配置されている。これらは、筐体５０の開口面（表示面）側から順に、Ｚ方向に沿って、保護部材４０、押圧センサ２０、表示パネル３０、演算回路モジュール６０の順で配置される。ここで、押圧センサ２０と表示パネル３０とからなる部分が押圧センサ付き表示パネル１０である。
【００２８】
図３に示すように、押圧センサ２０は、平膜状の圧電フィルム２０１を備える。圧電フィルム２０１の両平板面（主面）には、電極２０２，２０３が形成されている。電極２０２，２０３は、圧電フィルム２０１の平板面の略全面に形成されている。
【００２９】
圧電フィルム２０１は、キラル高分子から形成されるフィルムである。キラル高分子として、本実施形態では、ポリ乳酸（ＰＬＡ）、特にＬ型ポリ乳酸（ＰＬＬＡ）を用いている。ＰＬＬＡは、一軸延伸されている。
【００３０】
圧電フィルム２０１は、直交するＸ方向とＹ方向とに伸長する矩形状である。一軸延伸方向９００は、Ｘ方向およびＹ方向に対して略４５°である。なお、この角度は一例であり、設計に応じて定める設計事項であるが、保護部材４０が押された時に生じる主たる応力の方向に対して４５°となるようにすることが好ましい。
【００３１】
このようなキラル高分子からなるＰＬＬＡは、主鎖が螺旋構造を有する。ＰＬＬＡは、一軸延伸されて分子が配向すると圧電性を有する。そして、一軸延伸されたＰＬＬＡは、圧電フィルムの平板面が押し込まれることにより、電荷を発生する。この際、発生する電荷量は、押し込みにより平板面が、当該平板面に直交する方向へ変位する変位量によって一意的に決定される。
【００３２】
一軸延伸されたＰＬＬＡの圧電定数は、高分子中で非常に高い部類に属する。したがって、押し込みおよび押し込み緩和による変位を高感度に検出することができる。
【００３３】
なお、延伸倍率は３〜８倍程度が好適である。延伸後に熱処理を施すことにより、ポリ乳酸の延びきり鎖結晶の結晶化が促進され圧電定数が向上する。尚、二軸延伸した場合はそれぞれの軸の延伸倍率を異ならせることによって一軸延伸と同様の効果を得ることが出来る。例えばある方向をＸ軸としてその方向に８倍、その軸に直交するＹ軸方向に２倍の延伸を施した場合、圧電定数に関してはおよそＸ軸方向に４倍の一軸延伸を施した場合とほぼ同等の効果が得られる。単純に一軸延伸したフィルムは延伸軸方向に沿って裂け易いため、前述したような二軸延伸を行うことにより幾分強度を増すことができる。
【００３４】
また、ＰＬＬＡは、延伸等による分子の配向処理で圧電性を生じ、ＰＶＤＦ等の他のポリマーや圧電セラミックスのように、ポーリング処理を行う必要がない。すなわち、強誘電体に属さないＰＬＬＡの圧電性は、ＰＶＤＦやＰＺＴ等の強誘電体のようにイオンの分極によって発現するものではなく、分子の特徴的な構造である螺旋構造に由来するものである。このため、ＰＬＬＡには、他の強誘電性の圧電体で生じる焦電性が生じない。さらに、ＰＶＤＦ等は経時的に圧電定数の変動が見られ、場合によっては圧電定数が著しく低下する場合があるが、ＰＬＬＡの圧電定数は経時的に極めて安定している。したがって、周囲環境に影響されることなく、押し込みおよび押し込み緩和による変位を高感度に検出することができる。
【００３５】
また、ＰＬＬＡは比誘電率が約２．５と非常に低いため、ｄを圧電定数とし、εＴを誘電率とすると、圧電出力定数（＝圧電ｇ定数、ｇ＝ｄ／εＴ）が大きな値となる。ここで、誘電率ε３３Ｔ＝１３×ε０，圧電定数ｄ３１＝２５ｐＣ／ＮのＰＶＤＦの圧電ｇ定数は、上述の式から、ｇ３１＝０．２１７２Ｖｍ／Ｎとなる。一方、圧電定数ｄ１４＝１０ｐＣ／ＮであるＰＬＬＡの圧電ｇ定数をｇ３１に換算して求めると、ｄ１４＝２×ｄ３１であるので、ｄ３１＝５ｐＣ／Ｎとなり、圧電ｇ定数は、ｇ３１＝０．２２５８Ｖｍ／Ｎとなる。したがって、圧電定数ｄ１４＝１０ｐＣ／ＮのＰＬＬＡで、ＰＶＤＦと同様の押し込み量の検出感度を十分に得ることができる。そして、本願発明の発明者らは、ｄ１４＝１５〜２０ｐＣ／ＮのＰＬＬＡを実験的に得ており、当該ＰＬＬＡを用いることで、さらに非常に高感度に押し込みおよび押し込み緩和を検出することが可能になる。
【００３６】
電極２０２，２０３は、ＩＴＯ、ＺｎＯ、銀ナノワイヤ、カーボンナノチューブ、グラフェン等の無機系の電極、ポリチオフェン、ポリアニリン等を主成分とする有機系の電極のいずれかを用いるのが好適である。これらの材料を用いることで、透光性の高い導体パターンを形成できる。このような電極２０２，２０３を設けることで、圧電フィルム２０１が発生する電荷を電位差として取得でき、押し込み量に応じた電圧値の圧電検出信号を外部へ出力することができる。圧電検出信号は、図示しない配線を介して演算回路モジュール６０に出力される。演算回路モジュールは、圧電検出信号から押し込み量を算出する。
【００３７】
そして、このようなＰＬＬＡは、複屈折性を有する。具体的には、ＰＬＬＡは、延伸方向の屈折率は約１．４７であり、延伸方向に直交する方向の屈折率は約１．４５である。したがって、圧電フィルム２０１すなわち押圧センサは、リタデーションとなっている。
【００３８】
図２に示すように、表示パネル３０は、平板状の液晶パネル３０１、表面偏光板３０２、および裏面反射板３０３を備える。液晶パネル３０１は、外部から駆動電極が印加されることで、所定の画像パターンを形成するように液晶の配向状態が変化する。表面偏光板３０２は、所定方向に振動する光波のみを透過させる性質を有する。裏面反射板３０３は、液晶パネル３０１側からの光を液晶パネル３０１側に反射する。このような構成の表示パネル３０では、表示面側からの光が、表面偏光板３０２、液晶パネル３０１を透過して裏面反射板３０３まで到達し、裏面反射板３０３で反射されて、液晶パネル３０１、表面偏光板３０２を介して、表示面側に出射される。そして、この際、表面偏光板３０２の偏光性と、液晶の配向状態による偏光性の制御を行うことで、表示パネル３０は、表示面側に出射する光によって、所望の表示画像を形成する。
【００３９】
保護部材４０は、絶縁性および透光性を有し、複屈折性を有さない平板からなる。さらには、外部環境に対する耐性が高い方がよい。例えば、保護部材４０はガラスであるとよい。なお、保護部材４０は、さらには所定の可撓性を有することが好ましい。
【００４０】
このような構成からなる押圧センサ付き表示パネル１０および押圧入力機能付き電子機器１では、次に示すような原理で、操作者が表示画面を見ることができる。筐体５０の表示面（操作面）側から入射した光は、保護部材４０を介して押圧センサ２０に入射される。押圧センサ２０を透過した光は、表示パネル３０に入射される。表示パネル３０に入射された光は、所定の色およびパターンの表示画像を形成する光（表示画像形成光）となって、表示パネル３０から、押圧センサ２０側に出射される。表示画像形成光は、押圧センサ２０を透過して保護部材４０側に出射される。表示画像形成光は、保護部材４０を透過して、筐体５０の開口面から表示面側に出射し、操作者が視認できる。
【００４１】
ここで、本実施形態の構成では、表示パネル３０を出射した後の表示画像形成光が、押圧センサ２０に入力されるので、押圧センサ２０の複屈折性に影響されることなく、表示画像形成光の色は変化しない。
【００４２】
より具体的には、従来構成では、液晶パネル３０１と表面偏光板３０２との間に押圧センサ２０が配置されているので、押圧センサ２０で複屈折した光が表面偏光板３０２を介して外部に出力される。したがって、液晶パネル３０１の偏光した光が押圧センサ２０でリタデーションし、さらに表面偏光板３０２で偏光されるので、所望とする色にならない。すなわち、オープンニコルとなる。しかしながら、本実施形態の構成では、所望の色として表示パネル３０から出力された表示画像形成光が、押圧センサ２０を透過するだけなので、表示パネル３０から出力した所望の色を、操作者がそのまま視覚することができる。すなわち、オープンニコルは生じない。
【００４３】
このように、本実施形態の構成を用いることで、キラル高分子によって形成された圧電フィルムを有する押圧センサを備えていても、表示パネルで表示した所望の色を、殆ど変化させることなく操作者に提供することができる。
【００４４】
また、上述の実施形態では、押圧センサ２０と表示パネル３０との間に距離を空けて空隙Ｇａｐを設けている。この空隙Ｇａｐを設けることで、押圧センサ２０が押し込まれて湾曲しても、表面偏光板３０２に接触しない。したがって、表面偏光板３０２の損傷や、押し込みによる表面偏光板からの出射光の色の変化を防止できる。さらに、押圧センサ２０の押し込みが制限されないので、押し込み量を高精度に検出することができる。
【００４５】
本発明の第２の実施形態に係る押圧センサ付き表示パネルについて、図を参照して説明する。なお、本実施形態の押圧入力機能付き電子機器１Ａの外形形状等の基本構造は、第１の実施形態の押圧入力機能付き電子機器１と同じであり、押圧センサ付き表示パネル１０Ａの構造のみが異なる。したがって、第１の実施形態の押圧センサ付き表示パネル１０と異なる箇所のみを具体的に説明する。
【００４６】
図４は本発明の第２の実施形態に係る押圧センサ付き表示パネルの断面図である。図５は本発明の第２の実施形態に係る押圧センサおよび位置検出センサの平面図である。
【００４７】
図４に示すように、本実施形態の押圧センサ付き表示パネル１０Ａは、位置検出センサ７０を備える。位置検出センサ７０は、平板状の絶縁性基板７０１を備える。絶縁性基板７０１は、透光性を有する材料からなる。図５（Ａ）に示すように、絶縁性基板７０１の一方の平板面には、複数の電極７０２が形成されている。複数の電極７０２は長尺状であり、長尺方向がＹ方向に沿う形状からなる。複数の電極７０２は、Ｘ方向に沿って間隔を空けて配置されている。絶縁性基板７０１の他方の平板面には、複数の電極７０３が形成されている。複数の電極７０３は長尺状であり、長尺方向がＸ方向に沿う形状からなる。複数の電極７０３は、Ｙ方向に沿って間隔を空けて配置されている。複数の電極７０２，７０３は、上述の押圧センサ２０の電極２０２，２０３と同様に、透光性を有する材料からなる。
【００４８】
位置検出センサ７０は、操作者の指が近接した際に生じる静電容量変化を、電極７０２，７０３で検出し、この静電容量検出信号を演算回路モジュール６０に出力する。演算回路モジュール６０は、静電容量検出信号が検出された電極７０２，７０３の組合せから、操作位置を検出する。
【００４９】
図４に示すように、位置検出センサ７０は、押圧センサ２０と保護部材４０との間に配置されている。このような構成であっても、上述の第１の実施形態と同様に、表示パネルで表示した所望の色を、操作者に提供することができる。さらに、本実施形態の構成を用いることで、押し込み量のみでなく、操作位置も検出することができる。
【００５０】
本発明の第３の実施形態に係る押圧センサ付き表示パネルについて、図を参照して説明する。なお、本実施形態の押圧入力機能付き電子機器の外形形状等の基本構造は、第２の実施形態の押圧入力機能付き電子機器１Ａと同じであり、押圧センサ付き表示パネル１０Ｂの構成のみが異なる。したがって、第２の実施形態の押圧センサ付き表示パネル１０Ａと異なる箇所のみを具体的に説明する。図６は本発明の第３の実施形態に係る押圧センサ付き表示パネルの断面図である。
【００５１】
本実施形態の押圧センサ付き表示パネル１０Ｂは、押圧センサ２０Ｂを備える。押圧センサ２０Ｂは、圧電フィルム２０１を備える。
【００５２】
圧電フィルム２０１の第１平板面には、圧電検出用電極２０２Ｐおよび静電容量検出用電極２０２Ｄが形成されている。圧電検出用電極２０２Ｐおよび静電容量検出用電極２０２Ｄは、所定のパターンで形成されている。圧電検出用電極２０２Ｐおよび静電容量検出用電極２０２Ｄは、互いに導通しないように形成されている。
【００５３】
圧電フィルム２０１の第２平板面には、圧電検出用電極２０３Ｐおよび静電容量検出用電極２０３Ｄが形成されている。圧電検出用電極２０３Ｐおよび静電容量検出用電極２０３Ｄは、所定のパターンで形成されている。圧電検出用電極２０３Ｐおよび静電容量検出用電極２０３Ｄは、互いに導通しないように形成されている。
【００５４】
圧電検出用電極２０２Ｐ，２０３Ｐは、圧電フィルム２０１の湾曲によって発生する電荷による電圧を検出可能な形状で形成されている。静電容量検出用電極２０２Ｄ，２０３Ｄは、操作者による操作面への操作によって生じる静電容量の変化を検出可能な形状で形成されている。
【００５５】
圧電検出用電極２０２Ｐ，２０３Ｐ、および静電容量検出用電極２０２Ｄ，２０３Ｄは、透光性を有する材料からなる。
【００５６】
このような構成とすることで、押し込み量の検出と操作位置の検出を、単一の圧電フィルム２０１を用いた押圧センサ２０Ｂで実現することができる。
【００５７】
そして、このような構成であっても、上述の各実施形態と同様に、表示パネルで表示した所望の色を、操作者に提供することができる。さらに、押し込み量と操作位置の検出が可能な押圧センサ付き表示パネルおよび押圧入力機能付き電子機器を薄型に形成することができる。
【００５８】
本発明の第４の実施形態に係る押圧センサ付き表示パネルについて、図を参照して説明する。なお、本実施形態の押圧入力機能付き電子機器の外形形状等の基本構造は、第１の実施形態の押圧入力機能付き電子機器１と同じであり、押圧センサ付き表示パネル１０Ｃの構成のみが異なる。したがって、第１の実施形態の押圧センサ付き表示パネル１０と異なる箇所のみを具体的に説明する。図７は本発明の第４の実施形態に係る押圧センサ付き表示パネルの断面図である。
【００５９】
押圧センサ付き表示パネル１０Ｃは、押圧センサ２０と表示パネル３０とを距離をあけて、その間に緩衝部材８０が配置されている。緩衝部材８０は、絶縁性、透光性を有する材料からなる。緩衝部材８０は、弾性の低い材料からなる。
【００６０】
このような構成であっても、上述の各実施形態と同様に、表示パネルで表示した所望の色を、操作者に提供することができる。また、緩衝部材を備えることで、操作面が広くなり、押圧センサ２０が大面積になっても、平板面を平坦に維持することができ、且つ、操作による押し込みによる押圧センサ２０の湾曲を阻害しない。
【００６１】
本発明の第５の実施形態に係る押圧センサ付き表示パネルについて、図を参照して説明する。なお、本実施形態の押圧入力機能付き電子機器１Ｄの外形形状等の基本構造は、第１の実施形態の押圧入力機能付き電子機器１と同じであり、表示パネル３０ｔが透過型の表示パネルである点で異なる。図８は本発明の第５の実施形態に係る押圧センサ付き表示パネルの断面図である。
【００６２】
図８に示すように、表示パネル３０ｔは、液晶パネル３０１、表面偏光板３０２、裏面偏光板３０３ｔを備える。表示パネル３０ｔの演算回路モジュール６０側には、バックライト３１０が配置されている。
【００６３】
このような透過型の表示パネルを用いる場合でも、上述の実施形態と同様に、表示パネルで表示した所望の色を、操作者に提供することができる。
【００６４】
なお、上述の各実施形態では、キラル高分子の圧電フィルムとして、ＰＬＡ，ＰＬＬＡを例に説明したが、ＰＤＬＡ等の他の複屈折性を有する圧電フィルムを用いる場合にも、上述の構成を適用することができる。
【符号の説明】
【００６５】
１，１Ａ，１Ｂ，１Ｃ，１Ｄ：押圧入力機能付き電子機器、
１０，１０Ａ，１０Ｂ，１０Ｃ，１０Ｄ：押圧センサ付き表示パネル、
２０，２０Ｂ：押圧センサ、
３０，３０ｔ：表示パネル、
４０：保護部材、
５０：筐体、
６０：演算回路モジュール、
７０：位置検出センサ、
８０：緩衝部材、
２０１：圧電フィルム、
２０２，２０３：電極、
２０２Ｐ，２０３Ｐ：圧電検出用電極、
２０２Ｄ，２０３Ｄ：静電容量検出用電極、
３０１：液晶パネル、
３０２：表面偏光板、
３０３：裏面反射板、
７０１：絶縁性基板、
７０２，７０３：電極、
【図１】
0005939319.tif 000002
【図２】
0005939319.tif 000003
【図３】
0005939319.tif 000004
【図４】
0005939319.tif 000005
【図５】
0005939319.tif 000006
【図６】
0005939319.tif 000007
【図７】
0005939319.tif 000008
【図８】
0005939319.tif 000009